(57)【特許請求の範囲】
【請求項１】
複数の発電セルが積層され、発電反応に使用された反応ガスを積層方向に流通する反応ガス連通孔が設けられるとともに、積層方向の一端部には、前記反応ガス連通孔に連通するスタック側ドレン用通路が開口する燃料電池スタックと、
前記燃料電池スタックに供給される少なくとも一方の反応ガスを、加湿流体によって加湿するとともに、加湿器側ドレン用通路を有して前記燃料電池スタックの前記一端部に連結される加湿器と、
前記燃料電池スタックと前記加湿器との接合部位に配置され、前記スタック側ドレン用通路に挿入されるスタック側挿入部、及び前記加湿器側ドレン用通路に挿入される加湿器側挿入部を一体に有する連結通路部材と、
を備えることを特徴とする燃料電池システム。
【請求項２】
請求項１記載の燃料電池システムにおいて、前記連結通路部材は、少なくとも前記スタック側挿入部又は前記加湿器側挿入部の外周に、逃げ用溝部が設けられることを特徴とする燃料電池システム。
【請求項３】
請求項１又は２記載の燃料電池システムにおいて、前記連結通路部材は、前記燃料電池スタックと前記加湿器との前記接合部位に配置されるとともに、拡径する係止用フランジ部を設けることを特徴とする燃料電池システム。
【発明の詳細な説明】
【技術分野】
【０００１】
本発明は、複数の発電セルが積層される燃料電池スタックと、前記燃料電池スタックに供給される少なくとも一方の反応ガスを、加湿流体によって加湿するとともに、前記燃料電池スタックに連結される加湿器とを備える燃料電池システムに関する。
【背景技術】
【０００２】
例えば、固体高分子型燃料電池は、高分子イオン交換膜からなる電解質膜（電解質）の両側に、それぞれアノード側電極及びカソード側電極を配設した電解質膜・電極構造体（電解質・電極構造体）を、セパレータによって挟持した発電セルを備えている。この種の燃料電池は、通常、所定の数の発電セルを積層することにより、燃料電池スタックとして使用されている。
【０００３】
上記の燃料電池では、アノード側電極に燃料ガスを供給するとともに、カソード側電極に酸化剤ガスを供給することにより、電気化学反応によって発電している。その際、発電反応によりカソード側電極に生成水が発生する一方、アノード側電極には、前記生成水が逆拡散している。このため、生成水を燃料電池スタックの外部に良好に排出する必要がある。
【０００４】
そこで、例えば、特許文献１に開示されている燃料電池スタックでは、電解質膜の表裏にアノード電極とカソード電極を有する膜電極構造体と、この膜電極構造体のアノード電極面とカソード電極面にそれぞれ密接して配置され、前記アノード電極面とカソード電極面との間にそれぞれ反応ガス通路を形成する一対のセパレータによって単位燃料電池が構成されている。この単位燃料電池は、複数積層されるとともに、積層された複数の単位燃料電池が、積層方向両側に配置された端部固定部材によって挟持されている。
【０００５】
そして、各単位燃料電池内の反応ガス通路に導通するガス供給孔とガス排出孔が、複数の単位燃料電池から一方の端部固定部材にかけて連続して形成されるとともに、一端が前記ガス排出孔の他方の端部固定部材側の端部で前記ガス排出孔に接続される排水孔を、前記複数の単位燃料電池から前記一方の端部固定部材にかけて連続して形成している。
【０００６】
【特許文献１】特開２００７−１４１５４３号公報
【発明の開示】
【発明が解決しようとする課題】
【０００７】
ところで、燃料電池では、良好なイオン伝導性を確保するために、電解質膜を所望の湿潤状態に維持する必要があり、酸化剤ガスや燃料ガスを予め加湿するための加湿装置が、燃料電池スタックに接続されている。
【０００８】
このため、特に燃料電池スタックの一方の端部固定部材と加湿装置とが近接して配置されていると、前記一方の端部固定部材に形成されている排水孔から外部に円滑に排水させることが困難になる。従って、排水用配管が複雑化するという問題がある。
【０００９】
本発明はこの種の要請に対応してなされたものであり、簡単且つコンパクトな構成で、加湿器が連結された燃料電池スタックの排水性を良好に維持することが可能な燃料電池システムを提供することを目的とする。
【課題を解決するための手段】
【００１０】
本発明は、複数の発電セルが積層され、発電反応に使用された反応ガスを積層方向に流通する反応ガス連通孔が設けられるとともに、積層方向の一端部には、前記反応ガス連通孔に連通するスタック側ドレン用通路が開口する燃料電池スタックと、前記燃料電池スタックに供給される少なくとも一方の反応ガスを、加湿流体によって加湿するとともに、加湿器側ドレン用通路を有して前記燃料電池スタックの前記一端部に連結される加湿器と、前記燃料電池スタックと前記加湿器との接合部位に配置され、前記スタック側ドレン用通路に挿入されるスタック側挿入部、及び前記加湿器側ドレン用通路に挿入される加湿器側挿入部を一体に有する連結通路部材とを備えている。
【００１１】
また、連結通路部材は、少なくともスタック側挿入部又は加湿器側挿入部の外周に、逃げ用溝部が設けられることが好ましい。
【００１２】
さらに、連結通路部材は、燃料電池スタックと加湿器との接合部位に配置されるとともに、拡径する係止用フランジ部を設けることが好ましい。
【発明の効果】
【００１３】
本発明によれば、連結通路部材は、スタック側挿入部がスタック側ドレン用通路に挿入される一方、加湿器側挿入部が加湿器側ドレン用通路に挿入されることにより、燃料電池スタックと加湿器との接合部位に配置されている。
【００１４】
このため、燃料電池スタックと加湿器との多軸の接続部を直接連結することができ、燃料電池システム全体のコンパクト化が容易に図られる。しかも、燃料電池スタックには、複雑な配管構造が不要になり、簡単且つコンパクトな構成で、加湿器が連結された燃料電池スタックの排水性を良好に維持することが可能になる。
【発明を実施するための最良の形態】
【００１５】
図１は、本発明の実施形態に係る燃料電池システム１０の概略構成図である。
【００１６】
燃料電池システム１０は、図示しない燃料電池車両に搭載されており、燃料電池スタック１４と、前記燃料電池スタック１４に冷却媒体を供給するための冷却媒体供給機構１６と、前記燃料電池スタック１４に酸化剤ガス（反応ガス）を供給するための酸化剤ガス供給機構１８と、前記燃料電池スタック１４に燃料ガス（反応ガス）を供給するための燃料ガス供給機構２０とを備える。
【００１７】
冷却媒体供給機構１６は、ラジエータ２４を備える。このラジエータ２４には、冷媒用ポンプ２６を介して冷却媒体供給配管２８と、冷却媒体排出配管３０とが接続される。
【００１８】
酸化剤ガス供給機構１８は、冷媒用ポンプ２６に近接して配置される空気用ポンプ３２を備える。この空気用ポンプ３２に一端が接続される空気供給配管３４は、加湿器３６に他端が接続されるとともに、この加湿器３６には、加湿空気供給配管３８を介して燃料電池スタック１４が接続される。燃料電池スタック１４と加湿器３６とには、使用済みの生成水を含んだ酸化剤ガス（以下、オフガスという）を加湿流体として供給するためのオフガス供給配管４０が接続される。加湿器３６では、オフガス供給配管４０を介して供給されたオフガスの排出側に、背圧弁４２が配設される。
【００１９】
燃料ガス供給機構２０は、燃料ガスとして水素ガスが貯留される燃料ガスタンク（燃料タンク）４４を備える。この燃料ガスタンク４４には、燃料ガスパイプ４５の一端が接続され、前記燃料ガスパイプ４５には、遮断弁４６、レギュレータ４８及びエゼクタ５０を介して燃料ガス供給配管５１が接続されるとともに、前記燃料ガス供給配管５１が燃料電池スタック１４に接続される。
【００２０】
燃料電池スタック１４には、使用済みの燃料ガスが排出される排出燃料ガス配管５２が接続される。この排出燃料ガス配管５２は、リターン配管５４を介してエゼクタ５０に接続されるとともに、一部がパージ弁５６に連通する。
【００２１】
燃料電池スタック１４は、複数の発電セル６０が車長方向である水平方向（図２及び図３中、矢印Ａ方向）に積層されるとともに、積層方向の両端には、図示しないが、ターミナルプレート及び絶縁プレートを介して金属製エンドプレート６２ａ、６２ｂが配設される。エンドプレート６２ａ、６２ｂから積層方向外方に電力取り出し端子６３ａ、６３ｂが突出し、前記電力取り出し端子６３ａ、６３ｂは、図示しない走行用モータや補機類に接続される。
【００２２】
図２に示すように、各発電セル６０は、電解質膜・電極構造体（電解質・電極構造体）６６と、前記電解質膜・電極構造体６６を挟持する第１及び第２セパレータ６８、７０とを備えるとともに、縦長に構成される。なお、第１及び第２セパレータ６８、７０は、カーボンセパレータ又は金属セパレータで構成される。
【００２３】
発電セル６０の長辺方向（矢印Ｃ方向）の一端縁部（上端縁部）には、矢印Ａ方向に互いに連通して、酸化剤ガス、例えば、酸素含有ガスを供給するための酸化剤ガス供給連通孔７２ａ、及び燃料ガス、例えば、水素含有ガスを供給するための燃料ガス供給連通孔７６ａが設けられる。
【００２４】
発電セル６０の長辺方向の他端縁部（下端縁部）には、矢印Ａ方向に互いに連通して、酸化剤ガスを排出するための酸化剤ガス排出連通孔（反応ガス排出連通孔）７２ｂ及び燃料ガスを排出するための燃料ガス排出連通孔（反応ガス排出連通孔）７６ｂが設けられる。
【００２５】
酸化剤ガス排出連通孔７２ｂに近接してカソード側ドレン連通孔７３ａが形成されるとともに、燃料ガス排出連通孔７６ｂに近接してアノード側ドレン連通孔７３ｂが形成される。酸化剤ガス排出連通孔７２ｂとカソード側ドレン連通孔７３ａとは、エンドプレート６２ａ側で図示しない連結部を介して連通する一方、燃料ガス排出連通孔７６ｂとアノード側ドレン連通孔７３ｂとは、前記エンドプレート６２ａ側で図示しない連結部を介して連通する。
【００２６】
発電セル６０の短辺方向（矢印Ｂ方向）の一端縁部には、冷却媒体を供給するための冷却媒体供給連通孔７４ａが設けられるとともに、前記発電セル６０の短辺方向の他端縁部には、冷却媒体を排出するための冷却媒体排出連通孔７４ｂが設けられる。冷却媒体供給連通孔７４ａ及び冷却媒体排出連通孔７４ｂは、縦長形状に設定される。
【００２７】
電解質膜・電極構造体６６は、例えば、パーフルオロスルホン酸の薄膜に水が含浸された固体高分子電解質膜７８と、前記固体高分子電解質膜７８を挟持するアノード側電極８０及びカソード側電極８２とを備える。
【００２８】
第１セパレータ６８の電解質膜・電極構造体６６に向かう面６８ａには、燃料ガス供給連通孔７６ａと燃料ガス排出連通孔７６ｂとを連通する燃料ガス流路８４が形成される。この燃料ガス流路８４は、例えば、矢印Ｃ方向に延在する溝部により構成される。第１セパレータ６８の面６８ａとは反対の面６８ｂには、冷却媒体供給連通孔７４ａと冷却媒体排出連通孔７４ｂとを連通する冷却媒体流路８６が形成される。この冷却媒体流路８６は、矢印Ｂ方向に延在する溝部により構成される。
【００２９】
第２セパレータ７０の電解質膜・電極構造体６６に向かう面７０ａには、例えば、矢印Ｃ方向に延在する溝部からなる酸化剤ガス流路８８が設けられるとともに、この酸化剤ガス流路８８は、酸化剤ガス供給連通孔７２ａと酸化剤ガス排出連通孔７２ｂとに連通する。第２セパレータ７０の面７０ａとは反対の面７０ｂには、第１セパレータ６８の面６８ｂと重なり合って冷却媒体流路８６が一体的に形成される。図示しないが、第１及び第２セパレータ６８、７０には、必要に応じてシール部材が設けられる。
【００３０】
図３に示すように、燃料電池スタック１４は、例えば、エンドプレート６２ａ、６２ｂを端板とするケーシング８９を備える。なお、ケーシング８９に代えて、エンドプレート６２ａ、６２ｂ間を図示しないタイロッドで連結して構成してもよい。
【００３１】
図１に示すように、エンドプレート６２ａには、冷却媒体入口マニホールド９６ａと、冷却媒体出口マニホールド９６ｂとが設けられる。冷却媒体入口マニホールド９６ａは、冷却媒体供給連通孔７４ａに連通する一方、冷却媒体出口マニホールド９６ｂは、冷却媒体排出連通孔７４ｂに連通する。冷却媒体入口マニホールド９６ａ及び冷却媒体出口マニホールド９６ｂは、冷却媒体供給配管２８及び冷却媒体排出配管３０を介してラジエータ２４に連通している。
【００３２】
図３に示すように、エンドプレート６２ｂには、酸化剤ガス供給連通孔７２ａに連通する酸化剤ガス入口マニホールド９８ａ、燃料ガス供給連通孔７６ａに連通する燃料ガス入口マニホールド１００ａ、酸化剤ガス排出連通孔７２ｂに連通する酸化剤ガス出口マニホールド９８ｂ、及び燃料ガス排出連通孔７６ｂに連通する燃料ガス出口マニホールド１００ｂが設けられる。
【００３３】
酸化剤ガス入口マニホールド９８ａ、燃料ガス入口マニホールド１００ａ、酸化剤ガス出口マニホールド９８ｂ及び燃料ガス出口マニホールド１００ｂは、それぞれ薄肉円筒状の配管接続部１０２ａ、１０３ａ、１０２ｂ及び１０３ｂを有する。配管接続部１０２ａ、１０３ａ、１０２ｂ及び１０３ｂは、エンドプレート６２ｂの面から積層方向外方に突出形成される。
【００３４】
エンドプレート６２ｂには、酸化剤ガス出口マニホールド９８ｂに近接してカソード側ドレン連通孔７３ａに連通するドレン用通路（スタック側ドレン用通路）１０４ａが形成されるとともに、燃料ガス出口マニホールド１００ｂに近接してアノード側ドレン連通孔７３ｂに連通するドレン用通路（スタック側ドレン用通路）１０４ｂが形成される。
【００３５】
図４に示すように、燃料電池スタック１４のエンドプレート６２ｂには、加湿器３６が固定される。加湿器３６のケーシングは、例えば、鋳造成形されており、エンドプレート６２ｂに接するフランジ部１０６に複数のボルト１０８が挿入される。ボルト１０８がエンドプレート６２ｂに螺合することにより、加湿器３６が前記エンドプレート６２ｂに直接固定される。
【００３６】
加湿器３６内には、第１及び第２加湿部１１０ａ、１１０ｂが上下に配列して収容される。第１加湿部１１０ａ及び第２加湿部１１０ｂは、空気供給配管３４と加湿空気供給配管３８とに接続される。第１加湿部１１０ａ及び第２加湿部１１０ｂは、例えば、中空糸膜型加湿構造を採用することができる。加湿器３６には、燃料ガス供給機構２０を構成する各補機類、例えば、遮断弁４６、レギュレータ４８、エゼクタ５０及び背圧弁４２が一体化される。
【００３７】
図５に示すように、加湿空気供給配管３８、オフガス供給配管４０、燃料ガス供給配管５１及び排出燃料ガス配管５２の端部には、それぞれ薄肉円筒状の配管接続部１１２ａ、１１２ｂ、１１４ａ及び１１４ｂが設けられる。配管接続部１１２ａ、１１２ｂ、１１４ａ及び１１４ｂは、エンドプレート６２ｂに設けられた酸化剤ガス入口マニホールド９８ａ、酸化剤ガス出口マニホールド９８ｂ、燃料ガス入口マニホールド１００ａ及び燃料ガス出口マニホールド１００ｂの各配管接続部１０２ａ、１０２ｂ、１０３ａ及び１０３ｂにそれぞれ中間配管１１６を介して連結される。
【００３８】
図３に示すように、中間配管１１６は、略円筒状を有するとともに、その外周部両端縁部には、Ｏリング１１７ａ、１１７ｂが装着される。中間配管１１６は、一方のＯリング１１７ａを配管接続部１０２ａの内周面に摺接させるとともに、他方のＯリング１１７ｂを配管接続部１１２ａの外周面に摺接させて、酸化剤ガス入口マニホールド９８ａと加湿空気供給配管３８とを連結する。中間配管１１６の内径は、酸化剤ガス入口マニホールド９８ａ及び加湿空気供給配管３８の内径と同等の寸法に設定される。
【００３９】
加湿器３６には、図５及び図６に示すように、エンドプレート６２ｂに設けられたドレン用通路１０４ａ、１０４ｂと同軸的にドレン用通路（加湿器側ドレン用通路）１１８ａ、１１８ｂが形成される。ドレン用通路１１８ａは、加湿器３６から外部に開放されるとともに、ドレン用通路１１８ｂは、排出燃料ガス配管５２からリターン配管５４に連通する。
【００４０】
ドレン用通路１０４ａ、１１８ａには、連結通路部材１２０ａが配設される一方、ドレン用通路１０４ｂ、１１８ｂには、連結通路部材１２０ｂが配設される。連結通路部材１２０ａは、軸方向に貫通する孔部１２２を有するとともに、エンドプレート６２ｂのドレン用通路１０４ａに挿入されるスタック側挿入部１２４ａと、加湿器３６のドレン用通路１１８ａに挿入される加湿器側挿入部１２４ｂと、前記スタック側挿入部１２４ａ及び前記加湿器側挿入部１２４ｂ間に位置して、拡径する係止用フランジ部１２６とを設ける。
【００４１】
スタック側挿入部１２４ａの先端縁部外周には、周溝１２８ａが形成され、加湿器側挿入部１２４ｂの外周には、周溝１２８ｂが形成される。スタック側挿入部１２４ａの外周には、逃げ用溝部１３０ａが設けられることにより、ドレン用通路１０４ａの内周面との間に隙間Ｓが形成される。加湿器側挿入部１２４ｂの外周には、逃げ用溝部１３０ｂが設けられることにより、ドレン用通路１１８ａの内周面との間に隙間Ｓが形成される。周溝１２８ａ、１２８ｂには、Ｏリング１３２ａ、１３２ｂが配設される。
【００４２】
なお、加湿器側挿入部１２４ｂは、上記のスタック側挿入部１２４ａと同様に構成されており、同一の構成要素には同一の参照符号を付して、その詳細な説明は省略する。
【００４３】
このように構成される燃料電池システム１０の動作について、以下に説明する。
【００４４】
先ず、図１に示すように、酸化剤ガス供給機構１８を構成する空気用ポンプ３２が駆動され、酸化剤ガスである外部空気が吸引されて空気供給配管３４に導入される。この空気は、空気供給配管３４から加湿器３６内に導入され、第１及び第２加湿部１１０ａ、１１０ｂを通って加湿空気供給配管３８に供給される。
【００４５】
その際、オフガス供給配管４０には、後述するように、反応に使用された酸化剤ガスであるオフガスが供給されている。このため、使用前の空気には、加湿器３６の水透過膜（図示せず）を介してオフガス中に含まれる水分が移動し、この使用前の空気が加湿される。加湿された空気は、加湿空気供給配管３８からエンドプレート６２ｂを通って燃料電池スタック１４内の酸化剤ガス供給連通孔７２ａに供給される。
【００４６】
一方、燃料ガス供給機構２０では、遮断弁４６の開放作用下に、燃料ガスタンク４４内の燃料ガス（水素ガス）がレギュレータ４８で降圧された後、エゼクタ５０を通って燃料ガス供給配管５１からエンドプレート６２ｂを通って燃料電池スタック１４内の燃料ガス供給連通孔７６ａに導入される。
【００４７】
さらに、冷却媒体供給機構１６では、冷媒用ポンプ２６の作用下に、冷却媒体供給配管２８からエンドプレート６２ａを通って燃料電池スタック１４内の冷却媒体供給連通孔７４ａに冷却媒体が導入される。
【００４８】
図２に示すように、燃料電池スタック１４内の発電セル６０に供給された空気は、酸化剤ガス供給連通孔７２ａから第２セパレータ７０の酸化剤ガス流路８８に導入され、電解質膜・電極構造体６６のカソード側電極８２に沿って移動する。一方、燃料ガスは、燃料ガス供給連通孔７６ａから第１セパレータ６８の燃料ガス流路８４に導入され、電解質膜・電極構造体６６のアノード側電極８０に沿って移動する。
【００４９】
従って、各電解質膜・電極構造体６６では、カソード側電極８２に供給される空気中の酸素と、アノード側電極８０に供給される燃料ガス（水素）とが、電極触媒層内で電気化学反応により消費され、発電が行われる。
【００５０】
次いで、カソード側電極８２に供給されて消費された空気は、酸化剤ガス排出連通孔７２ｂに沿って流動した後、オフガスとしてエンドプレート６２ｂからオフガス供給配管４０に排出される（図１参照）。
【００５１】
その際、カソード側電極８２で発電により生成される生成水は、酸化剤ガス排出連通孔７２ｂに導入される。酸化剤ガス排出連通孔７２ｂでは、エンドプレート６２ｂ側に導入された生成水は、オフガス供給配管４０に排出される一方、エンドプレート６２ａ側に導入された生成水は、図示しない連結部を通ってカソード側ドレン連通孔７３ａに導入された後、エンドプレート６２ｂ側に移動してドレン用通路１０４ａに送られる。
【００５２】
このドレン用通路１０４ａは、図６に示すように、連結通路部材１２０ａに連通しており、生成水は、前記連結通路部材１２０ａの孔部１２２を通って加湿器３６のドレン用通路１１８ａに移動し、外部に排出される。
【００５３】
同様に、アノード側電極８０に供給されて消費された燃料ガスは、燃料ガス排出連通孔７６ｂに排出されて流動し、排出燃料ガスとしてエンドプレート６２ｂから排出燃料ガス配管５２に排出される（図１参照）。排出燃料ガス配管５２に排出された排出燃料ガスは、一部がリターン配管５４を通ってエゼクタ５０の吸引作用下に燃料ガス供給配管５１に戻される。この排出燃料ガスは、新たな燃料ガスに混在して燃料ガス導入配管４５ａから燃料電池スタック１４内に供給される。残余の排出燃料ガスは、パージ弁５６の開放作用下に排出される。
【００５４】
アノード側電極８０では、生成水が逆拡散しており、この生成水が燃料ガス排出連通孔７６ｂに排出される。燃料ガス排出連通孔７６ｂでは、エンドプレート６２ｂ側に導入された生成水は、排出燃料ガス配管５２に排出される一方、エンドプレート６２ａ側に導入された生成水は、図示しない連結部を通ってアノード側ドレン連通孔７３ｂに導入された後、エンドプレート６２ｂ側に移動してドレン用通路１０４ｂに送られる。
【００５５】
このドレン用通路１０４ｂは、図６に示すように、連結通路部材１２０ｂに連通しており、生成水は、前記連結通路部材１２０ｂの孔部１２２を通って加湿器３６のドレン用通路１１８ｂに移動し、排出燃料ガス配管５２に排出される（図１参照）。
【００５６】
また、冷却媒体は、図２に示すように、冷却媒体供給連通孔７４ａから第１及び第２セパレータ６８、７０間の冷却媒体流路８６に導入された後、矢印Ｂ方向に沿って流動する。この冷却媒体は、電解質膜・電極構造体６６を冷却した後、冷却媒体排出連通孔７４ｂを移動してエンドプレート６２ａの冷却媒体出口マニホールド９６ｂから冷却媒体排出配管３０に排出される。この冷却媒体は、図１に示すように、ラジエータ２４により冷却された後、冷媒用ポンプ２６の作用下に冷却媒体供給配管２８から燃料電池スタック１４に供給される。
【００５７】
この場合、本実施形態では、燃料電池スタック１４を構成するエンドプレート６２ｂに、加湿器３６が取り付けられるとともに、前記エンドプレート６２ｂと前記加湿器３６とには、連結通路部材１２０ａ、１２０ｂが一体に連結されている。
【００５８】
具体的には、図６に示すように、連結通路部材１２０ａ、１２０ｂは、エンドプレート６２ｂのドレン用通路１０４ａ、１０４ｂに挿入されるスタック側挿入部１２４ａと、加湿器３６のドレン用通路１１８ａ、１１８ｂに挿入される加湿器側挿入部１２４ｂとを備えている。このため、燃料電池スタック１４と加湿器３６との複数箇所（多軸）の接続部を同時且つ直接に連結することができ、燃料電池システム１０全体のコンパクト化が容易に図られる。
【００５９】
しかも、燃料電池スタック１４には、複雑な配管構造が不要になり、簡単且つコンパクトな構成で、加湿器３６が連結された燃料電池スタック１４の排水性を良好に維持することが可能になるという効果が得られる。
【００６０】
さらに、スタック側挿入部１２４ａの外周には、逃げ用溝部１３０ａが設けられ、ドレン用通路１０４ａの内周面との間に隙間Ｓ（例えば、０．５ｍｍ）が形成されている。同様に、加湿器側挿入部１２４ｂの外周には、逃げ用溝部１３０ｂが設けられ、ドレン用通路１１８ａの内周面との間に隙間Ｓが形成されている。
【００６１】
従って、燃料電池システム１０に付与される外部荷重等により、燃料電池スタック１４と加湿器３６との間に位置ずれ（位相ずれ）が惹起した際、この位置ずれを隙間Ｓにより吸収することができるため、連結通路部材１２０ａ、１２０ｂに直接外力が作用することを回避することが可能になる。これにより、軸がずれた場合に、比較的小径に構成される連結通路部材１２０ａ、１２０ｂは、燃料電池スタック１４や加湿器３６に接触することを抑制され、損傷することを良好に阻止することができるという利点が得られる。
【００６２】
さらにまた、連結通路部材１２０ａ、１２０ｂには、係止用フランジ部１２６が設けられている。このため、燃料電池スタック１４と加湿器３６との間に係止用フランジ部１２６が挟持されることにより、連結通路部材１２０ａ、１２０ｂの軸方向の位置決めが可能になる。
【００６３】
なお、本実施形態では、連結通路部材１２０ａ、１２０ｂに逃げ用溝部１３０ａ、１３０ｂが設けられているが、これに代えてドレン用通路１０４ａ、１０４ｂの内周面及びドレン用通路１１８ａ、１１８ｂの内周面に逃げ用溝部を設けてもよい。
【００６４】
また、連結通路部材１２０ａ、１２０ｂに代えて、図７に示すように、連結通路部材１４０ａ、１４０ｂを使用してもよい。この連結通路部材１４０ａ、１４０ｂは、係止用フランジ部１２６を設けておらず、ドレン用通路１０４ａ、１０４ｂ及びドレン用通路１１８ａ、１１８ｂが段付き孔形状を有する。
【００６５】
このため、連結通路部材１４０ａ、１４０ｂは、ドレン用通路１０４ａ、１０４の段部及びドレン用通路１１８ａ、１１８ｂの段部により軸方向の位置決めが行われる。
【図面の簡単な説明】
【００６６】
【図１】本発明の実施形態に係る燃料電池システムの概略構成図である。
【図２】前記燃料電池スタックを構成する発電セルの分解斜視説明図である。
【図３】前記燃料電池スタックの加湿器側からの斜視説明図である。
【図４】前記加湿器及び前記燃料電池スタックの斜視説明図である。
【図５】前記加湿器の取り付け側からの正面図である。
【図６】前記加湿器と前記燃料電池スタックとの連結通路部材による接続状態の説明図である。
【図７】前記加湿器と前記燃料電池スタックとの他の連結通路部材による接続状態の説明図である。
【符号の説明】
【００６７】
１０…燃料電池システム              １４…燃料電池スタック
１６…冷却媒体供給機構              １８…酸化剤ガス供給機構
２０…燃料ガス供給機構              ２４…ラジエータ
２６、３２…ポンプ                  ２８…冷却媒体供給配管
３０…冷却媒体排出配管              ３４…空気供給配管
３６…加湿器                        ３８…加湿空気供給配管
４０…オフガス供給配管              ４４…燃料ガスタンク
４５…燃料ガスパイプ                ５０…エゼクタ
５１…燃料ガス供給配管              ５２…排出燃料ガス配管
５４…リターン配管                  ６０…発電セル
６２ａ、６２ｂ…エンドプレート      ６６…電解質膜・電極構造体
６８、７０…セパレータ              ７２ａ…酸化剤ガス供給連通孔
７２ｂ…酸化剤ガス排出連通孔        ７４ａ…冷却媒体供給連通孔
７４ｂ…冷却媒体排出連通孔          ７６ａ…燃料ガス供給連通孔
７６ｂ…燃料ガス排出連通孔          ７８…固体高分子電解質膜
８０…アノード側電極                ８２…カソード側電極
８４…燃料ガス流路                  ８６…冷却媒体流路
８８…酸化剤ガス流路                ９６ａ…冷却媒体入口マニホールド
９６ｂ…冷却媒体出口マニホールド    ９８ａ…酸化剤ガス入口マニホールド
９８ｂ…酸化剤ガス出口マニホールド  １００ａ…燃料ガス入口マニホールド
１００ｂ…燃料ガス出口マニホールド
１０２ａ、１０２ｂ、１０３ａ、１０３ｂ、１１２ａ、１１２ｂ、１１４ａ、１１４ｂ…配管接続部
１０４ａ、１０４ｂ、１１８ａ、１１８ｂ…ドレン用通路
１１６…中間配管
１２０ａ、１２０ｂ、１４０ａ、１４０ｂ…連結通路部材
１２２…孔部                        １２４ａ…スタック側挿入部
１２４ｂ…加湿器側挿入部            １２６…フランジ部
１３０ａ、１３０ｂ…逃げ用溝部      １３２ａ、１３２ｂ…Ｏリング
【図１】
0005329112.tif 000002
【図２】
0005329112.tif 000003
【図３】
0005329112.tif 000004
【図４】
0005329112.tif 000005
【図５】
0005329112.tif 000006
【図６】
0005329112.tif 000007
【図７】
0005329112.tif 000008